(57)【要約】【課題】空調機および火災報知器等の緊急停止装置データを制御装置へ送信するには、それぞれにインターフェイスユニットが個々に必要であり、また、空調機データの接続台数、通信量の負荷が低い場合にでも火災報知器等の緊急停止装置データの送信タイミングは変わらないという課題があった。【解決手段】メモリ手段８に一時保管される運転状態の状態変化データ数がすでに設定されている初期設定値以上の場合割り込み指令データを送信する状態変化数検知手段７と、制御装置３と火災報知器等の緊急停止装置４間のデータ送受信を行い状態変化数検知手段７からの指令により火災報知器等の緊急停止装置４データから空調機５の運転状態データを制御装置３に送信する第２送受信デバイス部６ａとを備え、空調機の通信負荷により、運転状態変化数の監視を行い、火災報知器等の緊急停止装置と空調機の情報を効率よく制御装置に伝達することができる。【選択図】図１
2006242526.tif 000002
【特許請求の範囲】
【請求項１】
空調機の運転状態のデータを受信する第１送受信デバイス部と、第１送受信デバイス部で受信した運転状態のデータを一時保管するメモリ手段と、空調機と第１送受信デバイス部を結ぶ第３伝送路と、メモリ手段に一時保管される運転状態の状態変化データ数が初期設定値以上の場合割り込み指令データを送信する状態変化数検知手段と、制御装置と火災報知器等の緊急停止装置間のデータ送受信を行い状態変化数検知手段からの指令により火災報知器等の緊急停止装置データから空調機の運転状態データを制御装置に切り換える機能をもつ第２送受信デバイス部と、制御装置と第２送受信デバイス部を結ぶ第１伝送路と、火災報知器等の緊急停止装置と第２送受信デバイス部を結ぶ第２伝送路とを備えたインターフェイスユニット。
【請求項２】
前記第１送受信デバイス部と第２送受信デバイス部とメモリ手段において、電源投入時から時間を測定する第２タイマー手段と、メモリ手段に一時保管されている空調機の運転状態データの一定時間による運転状態変化数を検知し空調機の運転状態データを制御装置に送信する最適な時間を設定する送信時間設定手段と、送信時間設定手段で設定された時間を計測する第１タイマー手段と、送信時間設定手段で設定された時間が経過する毎に第２送受信デバイス部に割り込み指令データを送信する設定時間経過検知手段を備えた請求項１に記載のインターフェイスユニット。
【請求項３】
前記第１送受信デバイス部と第２送受信デバイス部とメモリ手段において、火災報知器等の緊急停止装置の接続台数による通信データ量の差異により空調機の運転状態データを送信する時間を決定する接続台数検知手段を備えた請求項２に記載のインターフェイスユニット。
【請求項４】
前記第１送受信デバイス部と第２送受信デバイス部とメモリ手段において、状態変化数検知手段が状態変化数の設定値を切り換える状態変化数設定用スイッチを備えた請求項１に記載のインターフェイスユニット。
【発明の詳細な説明】
【技術分野】
【０００１】
本発明は、１台で空調機と火災報知器等の緊急停止装置の情報を効率よく、制御装置部に伝えるインターフェイスユニットに関するものである。
【背景技術】
【０００２】
従来のインターフェイスユニットとしては、空調機や火災報知器等の緊急停止装置データを管理・制御していたものがあった。図６は、従来のブロック図を示すものである。
【０００３】
従来のインターフェイスユニット１は、図６に示すように空調機５と火災報知器等の緊急停止装置４のデータは、それぞれがインターフェイスユニット１ａ、およびインターフェイスユニット１ｂを有し、各種状態を制御装置３へ独立して情報伝達が行われていた。（例えば、特開平１１―２０６０１４参照）
【特許文献１】特開平１１―２０６０１４号公報
【発明の開示】
【発明が解決しようとする課題】
【０００４】
しかしながら、上記従来の構成では、空調機および火災報知器等の緊急停止装置データを制御装置へ送信するには、それぞれにインターフェイスユニットが個々に必要であり、また、各インターフェイスユニットが、データを送信するタイミングを制御装置に依存しているため、空調機および火災報知器等の緊急停止装置の接続台数および通信量の負荷の増減違いが判定できず、特に緊急停止データのように、情報として常に要求されるもに対して、空調機データの接続台数、通信量の負荷が低い場合にでも緊急停止データの送信タイミングは変わらないという課題があった。
【０００５】
本発明はこのような従来の課題を解決するものであり、インターフェイスユニット１台で、空調機データと火災報知器等の緊急停止装置データを各接続機器の台数および通信量により効率よく制御装置への送信データの切り換えを行うことができるインターフェイスを提供することを目的とする。
【課題を解決するための手段】
【０００６】
上記課題を解決するために本発明は、空調機の運転状態のデータを受信する第１送受信デバイス部と、第１送受信デバイス部で受信した運転状態のデータを一時保管するメモリ手段と、空調機と第１送受信デバイス部を結ぶ第３伝送路と、メモリ手段に一時保管される運転状態の状態変化データ数がすでに設定されている初期設定値以上かを検知する毎に割り込み指令データを送信する状態変化数検知手段と、制御装置と火災報知器等の緊急停止装置間のデータ送受信を行い状態変化数検知手段からの指令により火災報知器等の緊急停止装置データから空調機の運転状態データを制御装置に送信する第２送受信デバイス部と、制御装置と第２送受信デバイス部を結ぶ第１伝送路と、火災報知器等の緊急停止装置と第２送受信デバイス部を結ぶ第２伝送路とを備えたものである。
【０００７】
上記構成によって、空調機の接続台数の増加減により、発停、運転モード、風量、設定温度の運転状態変化数の監視を行い、火災報知器等の緊急停止装置と空調機の情報を効率よく制御装置に伝達することができる。
【発明の効果】
【０００８】
本発明のインターフェイスユニットは、１台で制御装置と空調機および火災報知器等の緊急停止装置データの送受信が行え、火災報知器等の緊急停止装置データを優先させなが
ら、空調機の最適な割り込みタイミングを自動で判定することができる。
【発明を実施するための最良の形態】
【０００９】
第１の発明は、１台で制御装置と空調機および火災報知器等の緊急停止装置データの送受信が行え、火災報知器等の緊急停止装置データを優先させながら、空調機の最適な割り込みタイミングを自動で判定することができ、それにより制御装置は火災報知器等の緊急停止装置データからの変化を即時に検知できるという効果を奏する。
【００１０】
第２の発明は、火災報知器等の緊急停止装置データを優先させながら、最適な送信時間を自動で判定することができ、それにより制御装置は火災報知器等の緊急停止装置データからの変化を即時に検知できるという効果を奏する。
【００１１】
第３の発明は、火災報知器等の緊急停止装置の接続台数により、火災報知器等の緊急停止装置データを優先させながら、最適な送信時間を自動で判定することができ、それにより制御装置は火災報知器等の緊急停止装置データからの変化を即時に検知できるという効果を奏する。
【００１２】
第４の発明は、手動でより細かく空調機の設置環境に最適な送信時間を設定することができるという効果を奏する。
【００１３】
以下本発明の実施の形態について図面を参照して説明する。
【００１４】
（実施の形態１）
図１は、本発明のインターフェイスユニットの一実施形態を適用したブロック図である。図１において、第２送受信デバイス部６ａは、制御装置３と伝送路２ａを介して、火災報知器等の緊急停止装置４は伝送路２ｂを介して接続され送受信を行う。第１送受信デバイス部６ｂは、伝送路２ｃ上の空気調和器５の運転、運転モード、風量、設定温度の運転状態データを受信するものである。メモリ手段８は、受信した空調機５の運転状態データを一時保管する手段を備えるものである。状態変化数検知手段７は、メモリ手段８に一時保管される受信状態データの状態変化をカウントし、初期に設定されている状態変化データ数が設定値以上を検知したら、そのタイミングで第２送受信デバイス部６ａにメモリ手段８で一時保管されている空調機の状態データを送信するよう割り込み指令データを送信するものである。
【００１５】
以上のように構成された本実施の形態のインターフェイスユニットについて、次にその動作を説明する。
【００１６】
まず始めに、制御装置３からの一定間隔で送信されるデータ要求コマンドに対し、送受信デバイス６ａが制御装置３へ火災報知器等の緊急停止装置４のデータ送信を行う。また、メモリ手段８は、第１送受信デバイス部６ｂが受信した運転、運転モード、風量、設定温度のモニターデータの一時保管を開始する。状態変化数検知手段７は、メモリ手段８の受信状態データの状態変化データを監視し、状態変化データ数をカウントする。状態変化カウント数が、初期設定の状態変化数設定値（この時の状態変化データ数の初期設定は１８０個とする）を超えると、状態変化数検知手段７が第２送受信デバイス部６ａに送信データの切り換えを要求する割り込み指令データを送信する。その時、状態変化カウントをクリアする。送受信デバイス６ａは、割り込み指令データを受信すると制御装置３から一定間隔で送られてくるデータ要求コマンドに対し火災報知器等の緊急停止装置４データからメモリ手段８に一時保管されている空調機５の運転状態データを送信する。送信後、制御装置３からのデータ要求に対し火災報知器等の緊急停止装置４データ送信に切り換える。以降、この動作を繰り返す。
【００１７】
以上のように、本発明のインターフェイスユニットは、１台で制御装置３と空調機５および火災報知器等の緊急停止装置４データの送受信が行え、火災報知器等の緊急停止装置４データを優先させながら、空調機５の最適な割り込みタイミングを自動で判定することができ、それにより制御装置３は火災報知器等の緊急停止装置４データからの変化を即時に検知できるようにすることができる。
【００１８】
（実施の形態２）
図２は、本発明のインターフェイスユニットの一実施形態を適用したブロック図である。図２において、図１と同じ構成要素については同じ符号を用い、説明を省略する。
【００１９】
図２において、送信時間設定手段９は、メモリ手段８に一時保管される空調機５の状態変化データをカウントし、時間を計測する第２タイマー手段１１ａによる一定時間の状態変化データ数により、空調機５データの送信時間を可変させるものである。第１タイマー手段１１ｂは、送信時間設定手段９で設定された時間を計測する。設定時間経過検知手段１０は、第１タイマー手段１１ｂが計測している時間を監視し、時間が経過すれば、そのタイミングで割り込み指令データを送信するものである。
【００２０】
以上のように構成された本実施の形態のインターフェイスユニットについて、次にその動作を説明する。
【００２１】
まず始めに、制御装置３からの一定間隔で送信されるデータ要求コマンドに対し、送受信デバイス６ａが制御装置３へ火災報知器等の緊急停止装置４のデータ送信を行い、第２タイマー手段１１ａの時間計測を開始する。メモリ手段８は、第１送受信デバイス部６ｂが受信した運転、運転モード、風量、設定温度の状態データを一時保管する。送信時間設定手段９は、メモリ手段８に一時保管される空調機５の状態変化データをカウントし、時間を計測する第２タイマー手段１１ａが一定時間（５秒間）経過したか監視する。送信時間設定手段９は、第２タイマー手段１１ａが１分間経過を検知すれば、状態変化データ数により、（表１）から火災報知器等の緊急停止装置４データを空調機５データに切り換える時間を設定する。この時、第１タイマー手段１１ｂの時間計測を開始する。送信時間経過検知手段１０は、第１タイマー手段１１ｂが送信時間設定手段９が設定した時間経過したかを監視する。送信時間検知手段１０は、第１タイマー手段１１ｂが設定時間経過を検知すれば、第２送受信デバイス部６ａに送信データの切り換えを要求する割り込み指令データを送信する。その時、送信時間設定手段９が設定した設定時間をクリアする。送受信デバイス６ａは、割り込み指令データを受信すると制御装置３からの一定間隔で送られてくるデータ要求コマンドに対し火災報知器等の緊急停止装置データからメモリ手段８に一時保管されている空調機の状態データを送信する。送信後、制御装置３からのデータ要求に対し火災報知器等の緊急停止装置４データ送信に切り換える。以降、この動作を繰り返す。
【００２２】
以上のように、本発明のインターフェイスユニットは、火災報知器等の緊急停止装置４データを優先させながら、空調機５の最適な送信時間を自動で判定することができできる。
【００２３】
（実施の形態３）
図４は、本発明のインターフェイスユニットの一実施形態を適用したブロック図である。図４において、図１および図２と同じ構成要素については同じ符号を用い、説明を省略する。
【００２４】
図４において、接続台数検知手段１２は、制御装置３からの一定間隔のデータ要求コマ
ンドに対する火災報知器等の緊急停止装置４の送信データにより、接続台数を検知し、接続台数により設定された、空調機のメモリ手段８に一時保管されたモニターデータを送信する時間を決定するものである。設定時間経過検知手段１０は、第１タイマー手段１１ｂが計測している時間を監視し、接続台数検知手段１２で決定された時間が経過すれば、そのタイミングで割り込み指令データを送信するものである。
【００２５】
以上のように構成された本実施の形態のインターフェイスユニットについて、次にその動作を説明する。
【００２６】
まず始めに、制御装置３からの一定間隔で送信されるデータ要求コマンドに対し、送受信デバイス６ａが制御装置３へ火災報知器等の緊急停止装置４のデータ送信を行い、接続台数検知手段１２は、火災報知器等の緊急停止装置データは通信バイト数が定量であるため、通信バイト数で接続台数をカウントする。また、メモリ手段８は、第１送受信デバイス部６ｂが受信した運転、運転モード、風量、設定温度の状態データの一時保管を開始する。送信時間経過検知手段１０は、第１タイマー手段１１ｂが接続台数検知手段１２が設定した時間経過したかを監視する。送信時間検知手段１０は、第１タイマー手段１１ｂが設定時間経過を検知すれば、第２送受信デバイス部６ａに送信データの切り換えを要求する割り込み指令データを送信する。送受信デバイス６ａは、割り込み指令データを受信すると制御装置３からの一定間隔で送られてくるデータ要求コマンドに対し火災報知器等の緊急停止装置４データからメモリ手段８に一時保管されている空調機５の運転状態データを送信する。送信後、制御装置３からのデータ要求に対し火災報知器等の緊急停止装置５データ送信に切り換える。以降、この動作を繰り返す。
【００２７】
以上のように、本発明のインターフェイスユニットは、火災報知器等の緊急停止装置４の接続台数により、火災報知器等の緊急停止装置４データを優先させながら、空調機５の最適な送信時間を自動で判定することができできる。
【００２８】
（実施の形態４）
図５は、本発明のインターフェイスユニットの一実施形態を適用したブロック図である。図５において、図１および図２および図４と同じ構成要素については同じ符号を用い、説明を省略する。
【００２９】
図５において、状態変化数設定用スイッチ１３は、状態変化数検知手段７が、メモリ手段８に一時保管される運転状態データの状態変化をカウントしたカウント数と比較を行うための状態変化データ数を手動で設定するものである。
【００３０】
そして、この実施の形態によれば、状態変化数設定用スイッチ１３は、８ビット構成のスイッチであり、空調機５の状態変化データ数を１０〜２６５の範囲で変更することにより、空調機５の運転状態データの最適な送信時間を空調機５の接続台数や通信量に合わせ、より細かく手動で設定することができる。
【産業上の利用可能性】
【００３１】
以上のように、本発明にかかるインターフェイスユニットは、１つのバスライン上に複数の端末を設置し、特に情報を再優先させたい端末を、端末台数に影響無く情報を取り出せることが可能となるので、ビルおよび学校等のセキュリティ管理等の用途にも適用できる。
【図面の簡単な説明】
【００３２】
【図１】本発明の第１の実施形態を示すブロック図
【図２】本発明の第２の実施形態を示すブロック図
【図３】空調機の状態変化データカウント数による送信時間一覧表を示す図
【図４】本発明の第３の実施形態を示すブロック図
【図５】本発明の第４の実施形態を示すブロック図
【図６】従来のブロック図
【符号の説明】
【００３３】
１  インターフェイスユニット
２ａ〜２ｃ  伝送路
３  制御装置
４  火災報知器等の緊急停止装置
５  空調機
６ａ〜６ｂ  送受信デバイス部
７  状態変化数検知手段
８  メモリ手段
９  送信時間設定手段
１０  設定時間経過検知手段
１１ａ〜１１ｂ  タイマー手段
１２  接続台数検知手段
１３  状態変化数設定用スイッチ
１４  送信時間設定用スイッチ
【図１】
2006242526.tif 000003
【図２】
2006242526.tif 000004
【図３】
2006242526.tif 000005
【図４】
2006242526.tif 000006
【図５】
2006242526.tif 000007
【図６】
2006242526.tif 000008